(57)【要約】      （修正有）【課題】終端抵抗の取付け作業性が良い終端用分岐コネクタ等を提供する。【解決手段】ツイストペア線を構成する２本の電線Ｗ１が互いの間隔を広げたツイスト形状に配策される配策経路部１１を有する第１ハウジング部１０と、アース線Ｗ３に接続された終端抵抗付きの終端用圧接端子が固定され、第１ハウジング１０に組付けされた状態では、終端用圧接端子が２本の電線Ｗ１に圧接接続する第２ハウジング部２０とを備えた。【選択図】図１
2019079715.tif 000002
【特許請求の範囲】
【請求項１】
ツイストペア線を構成する２本の電線が互いの間隔を広げたツイスト形状に配策される配策経路部を有する第１ハウジング部と、
アース線に接続された終端抵抗付きの終端用圧接端子が固定され、前記第１ハウジング部に組付けされた状態では、前記終端用圧接端子が２本の前記電線に圧接接続する第２ハウジング部とを備えたことを特徴とする終端用分岐コネクタ。
【請求項２】
請求項１記載の終端用分岐コネクタであって、
前記配策経路部は、ツイスト形状の外形輪郭に倣ったツイスト溝を有することを特徴とする終端用分岐コネクタ。
【請求項３】
請求項１又は請求項２記載の終端用分岐コネクタであって、
前記配策経路部は、２本の前記電線の間に割り込むリブを有することを特徴とする終端用分岐コネクタ。
【請求項４】
請求項３に記載の終端用分岐コネクタであって、
前記第２ハウジング部は、前記第１ハウジング部に組付けされた状態で、前記ツイスト溝に入り込む突壁を有することを特徴とする終端用分岐コネクタ。
【請求項５】
請求項１〜請求項４のいずれかに記載の終端用分岐コネクタであって、
前記第２ハウジング部は、前記第１ハウジング部に組付けされ、コネクタ嵌合部を有する合体用ハウジング部と、２つの前記圧接端子が固定され、前記コネクタ嵌合部に嵌合される端子固定用ハウジング部とを備えたことを特徴とする終端用分岐コネクタ。
【請求項６】
請求項１〜請求項４記載の終端用分岐コネクタであって、
前記第２ハウジング部は、前記第１ハウジング部に組付けされる合体用ハウジング部と、２つの前記圧接端子が固定される端子固定用ハウジング部とが一体に形成されていることを特徴とする終端用分岐コネクタ。
【請求項７】
ツイストペア線を構成する２本の第１電線と、
２本の前記第１電線に分岐接続され、ツイストペア線を構成する２本の第２電線と、
２本の前記第１電線と２本の前記第２電線の内で幹線の端部となる位置に接続する、請求項１〜請求項６記載の終端用分岐コネクタとを備えたことを特徴とする通信ネットワーク。
【発明の詳細な説明】
【技術分野】
【０００１】
本発明は、ツイストペア線を構成する２本の電線の端部に接続される終端用分岐コネクタ、及び、これを用いた通信ネットワークに関する。
【背景技術】
【０００２】
ツイストペア線を構成する２本の電線を通信回路の幹線とする場合には、電線（幹線）の端部に、信号の反射波を防止するために終端抵抗が取り付けられる（特許文献１、２参照）。従来では、電線（幹線）の端部被覆を皮剥ぎして終端抵抗を取付ける等していた。
【先行技術文献】
【特許文献】
【０００３】
【特許文献１】特開２０１４−１４１１４０号公報
【特許文献２】特開２００２−１５１１６９号公報
【発明の概要】
【発明が解決しようとする課題】
【０００４】
しかしながら、前記従来例では、２本の電線のツイスト形状を維持しながら終端抵抗の取付け作業を行う必要があるため、通信品質を維持できない恐れがあると共に終端抵抗の取付け作業性が悪いという問題があった。
【０００５】
そこで、本発明は、前記した課題を解決すべくなされたものであり、終端抵抗の取付け作業性が良い終端用分岐コネクタ、及び、これを用いた通信ネットワークを提供することを目的とする。
【課題を解決するための手段】
【０００６】
本発明は、ツイストペア線を構成する２本の電線がツイスト形状を維持し、且つ、２本の電線の間隔を広げて配策される配策経路部を有する第１ハウジングと、アース線に接続された終端抵抗付きの終端用圧接端子が固定され、第１ハウジングに組付けされた状態では、終端用圧接端子が２本の電線に圧接接続する第２ハウジング部とを備えたことを特徴とする終端用分岐コネクタである。
【発明の効果】
【０００７】
本発明によれば、２本の電線が互いの間隔を広げられるが、ツイスト形状を維持して配策されるため、通信品質を維持しつつ終端抵抗を取付けることができる。また、第２ハウジング部を第１ハウジング部に装着すれば終端抵抗を取付けることができるため、終端抵抗の取付け作業性が良い。
【図面の簡単な説明】
【０００８】
【図１】本発明の第１実施形態を示し、終端用分岐コネクタの分解斜視図である。
【図２】本発明の第１実施形態を示し、終端用分岐コネクタの全体斜視図である。
【図３】本発明の第１実施形態を示し、（ａ）は図２のＡ１−Ａ１線断面図、（ｂ）は図２のＡ２−Ａ２線断面図、（ｃ）は図２のＢ−Ｂ線断面図である。
【図４】本発明の第１実施形態を示し、（ａ）は第１ハウジング部の内面側を見た斜視図、（ｂ）は図２のＣ−Ｃ線に沿う端子固定用ハウジング部の断面図である。
【図５】本発明の第１実施形態を示し、（ａ）は第２ハウジングの合体用ハウジング部の内面側を見た斜視図、（ｂ）は第２ハウジング部の合体用ハウジング部の外面側を見た斜視図である。
【図６】本発明の第１実施形態を示し、第１ハウジング部に２本の第１電線を配策した状態の平面図である。
【図７】本発明の第１実施形態を示し、第１ハウジング部に合体用ハウジング部を合体させる手前の状態を示す斜視図である。
【図８】本発明の第１実施形態を示し、端子固定用ハウジング部を合体用ハウジング部に嵌合させる前の状態を示す斜視図である。
【図９】本発明の第１実施形態を示し、端子固定用ハウジング部を合体用ハウジング部に嵌合させる前の状態を示す断面図である。
【図１０】本発明の第１実施形態を示し、通信ネットワークの構成図である。
【図１１】本発明の第２実施形態を示し、終端用分岐コネクタの全体斜視図である。
【図１２】本発明の第２実施形態を示し、図１１のＥ−Ｅ線に沿い、第１ハウジング部を第２ハウジング部に嵌合させる前の状態を示す断面図である。
【図１３】本発明の第２実施形態を示し、図１１のＥ−Ｅ線に沿い、第１ハウジング部を第２ハウジング部に嵌合させた状態を示す断面図である。
【図１４】本発明の第１実施形態の第１変形例を示し、終端用分岐コネクタの斜視図である。
【図１５】本発明の第１実施形態の第２変形例を示し、終端用分岐コネクタの概略斜視図である。
【図１６】変形例に係る終端用圧接端子の要部平面図である。
【発明を実施するための形態】
【０００９】
以下、本発明の実施形態を図面に基づいて説明する。
【００１０】
（第１実施形態）
図１〜図１０は本発明の第１実施形態を示す。図１０に示すように、通信ネットワーク１は、車両に搭載されている。通信ネットワーク１は、幹線ｗ１と、幹線ｗ１の複数点で分岐される複数の枝線ｗ２と、各枝線ｗ２にそれぞれ接続された複数のＥＣＵ（電子制御ユニット）２と、幹線ｗ１の両端に接続された２つの終端抵抗部３とを備えている。各ＥＣＵ２は、ＣＡＮインターフェース（図示せず）を搭載している。各ＥＣＵ２は、ＣＡＮ通信（コントローラエリアネットワーク）によって信号の送受信を行う。
【００１１】
幹線ｗ１は，ツイストペア線を構成する２本の第１電線Ｗ１が使用されている。２本の第１電線Ｗ１は、ほぼ密着したツイスト形状に配策されている。枝線ｗ２は、同じくツイストペア線を構成する２本の第２電線Ｗ２が使用されている。２本の第２電線Ｗ２は、ほぼ密着したツイスト形状に配策されている。そして、終端抵抗部３は、終端用分岐コネクタ５Ｃにて構成されている。以下、終端用分岐コネクタ５Ｃについて説明する。
【００１２】
図１〜図５に示すように、終端用分岐コネクタ５Ｃは、ツイストペア線を構成する２本の第１電線（電線）Ｗ１が通過するよう配策される第１ハウジング部１０と、アース線Ｗ３が接続された単一の終端用圧接端子６０が固定された第２ハウジング部２０とを備えている。
【００１３】
第１ハウジング部１０は、概略長方形の板状である。第１ハウジング部１０は、配策経路部１１を有する。配策経路部１１は、ツイスト溝１２と、第１電線Ｗ１の配策方向に間隔を開けて立設された３箇所のリブ１３ａ、１３ｂとを有する。ツイスト溝１２は、２本の第１電線Ｗ１が互いの間隔を開けたツイスト形状に倣う形状の溝に形成されている。３箇所のリブ１３ａ，１３ｂは、２本の第１電線Ｗ１のほぼツイストピッチＰの間隔で配置されている。
【００１４】
中央のリブ１３ａは、上方から見て菱形状である。中央のリブ１３ａの両側面が最も離間する中心位置が、下記する一対の圧接端子５０の圧接位置である。両側のリブ１３ｂは、上方から見て二等辺三角形状である。
【００１５】
配策経路部１１は、３つのリブ１３ａ，１３ｂが２本の第１電線Ｗ１の間にそれぞれ割り込むことで、２本の第１電線Ｗ１がツイスト形状を維持しつつ互いの間隔を開き、このツイスト形状でツイスト溝１２に配策される。ツイスト溝１２に配策された２本の第１電線Ｗ１は、ツイスト溝１２の両端より第１ハウジング部１０の外部にそれぞれ引き出される。配策経路部１１における２本の第１電線Ｗ１のツイストピッチは、配策経路部１１以外における２本の第１電線Ｗ１のツイストピッチＰとほぼ同じである。
【００１６】
配策経路部１１には、中央のリブ１３ａの頂面より各ツイスト溝１２の底面にまで連続する一対の圧接刃ガイド溝１４が設けられている。各圧接刃ガイド溝１４は、圧接刃５２の肉厚とほぼ同じ幅寸法、若しくは、若干だけ幅広の寸法に形成されている。
【００１７】
第１ハウジング部１０の両側面には、一対の係止爪１５が突設されている。
【００１８】
第２ハウジング部２０は、第１ハウジング部１０に組付けされる合体用ハウジング部２１と、合体用ハウジング部２１とは別体で、単一の終端用圧接端子６０が固定される端子固定用ハウジング部３１Ｃとを備えている。
【００１９】
合体用ハウジング部２１は、第１ハウジング部１０より少しだけ大きな寸法に形成された上面壁２２と、この上面壁２２の全周縁より垂設された４つの側壁２３ａ，２３ｂとを有する。上面壁２２の内面には、ツイスト溝１２の形状に倣う形状（２本の第１電線Ｗ１が互いの間隔を広げたツイスト形状に倣う形状）の突壁２４が設けられている。突壁２４は、第１ハウジング部１０に組付けされた状態で、ツイスト溝１２に入り込む。上面壁２２の内部には、突壁２４に囲まれることによって位置決め凹部２４ａが設けられている。上面壁２２の両端部には、一対の位置決め孔２２ａが形成されている。上面壁２２には、一対の圧接刃進入孔２５が形成されている。
【００２０】
４つの側壁２３ａ，２３ｂは、第１ハウジング部１０に組付けされた状態で、第１ハウジング部１０の全側面を被う位置に配置される。第１電線Ｗ１の配策方向に直交する一対の側壁２３ａには、一対の電線挿通溝２６がそれぞれ形成されている。両側壁２３ａの一対の電線挿通溝２６の間には、リブ２７が設けられている。各リブ２７は、第１ハウジング部１０に組付けされた状態で、第１ハウジング部１０の両端のリブ１３ｂと共に２本の第１電線Ｗ１の間に割り込む。
【００２１】
第１電線Ｗ１の配策方向と同じ方向に沿って延びる一対の側壁２３ｂには、一対の弾性係止枠２８が設けられている。一対の弾性係止枠２８が第１ハウジング部１０の係止爪１５に係止されることによって、第１ハウジング部１０と第２ハウジング部２０の合体用ハウジング部２１が組付けされる。
【００２２】
合体用ハウジング部２１は、上面壁２２の上面にコネクタ嵌合部２９を有する。コネクタ嵌合部２９の内部に、一対の圧接刃進入孔２５が開口している。コネクタ嵌合部２９の嵌合入口側には、一対の弾性係止枠３０が設けられている。コネクタ嵌合部２９には、端子固定用ハウジング部３１Ｃが嵌合される。
【００２３】
端子固定用ハウジング部３１Ｃは、２つの分割コネクタハウジング部３２Ａ,３２Ｂを有する。分割コネクタハウジング部３２Ａの前部側には、一対の係止爪３９ａが設けられている。２つの分割コネクタハウジング部３２Ａ,３２Ｂは、一方に弾性係止枠４０を、他方に係止爪４１を有している。２つの分割コネクタハウジング部３２Ａ,３２Ｂは、弾性係止枠４０に係止爪（図示せず）が係止されることで互いに合体される。分割コネクタハウジング部３２Ａ,３２Ｂの合体によって内部に端子収容室３５Ａと電線引出通路３５ａが構成されている。
【００２４】
分割コネクタハウジング部３２Ａ，３２Ｂには、図３（ａ）、図４（ｂ）に示すように、端子収容室３５Ａに配置された終端用圧接端子６０の位置決め凸部３２ｃと位置決め凹部３２ｄが設けられている。電線引出通路３５ａは、分割コネクタハウジング部３２Ａの凹部３２ｅと分割コネクタハウジング３部２Ｂの凸部３２ｆによって屈曲した通路に形成されている。
【００２５】
終端用圧接端子６０は、端子収容室３５Ａに配置されている。終端用圧接端子６０は、アース線Ｗ３を圧接接続する単一の圧接刃６１と、２本の第１電線Ｗ１に圧接接続する一対の圧接刃６２と、２つの終端抵抗６３と、単一のコンデンサ６４を有する。つまり、終端用圧接端子６０には、終端抵抗６３が一体に付けられている。終端抵抗６３は、チップ抵抗である。
【００２６】
終端用圧接端子６０には、複数箇所に圧入孔６５が設けられている。この圧入孔６５に分割コネクタハウジング部３２Ａのボス部３２ｇを圧入されている。終端用圧接端子６０は、圧入孔６５のボス部３２ｇの圧入によって、端子収容室３５Ａに位置決めされた状態で配置されている。
【００２７】
終端用圧接端子６０の一対の圧接刃６２は、外部に突出している。終端用圧接端子６０に接続されたアース線Ｗ３は、電線引出通路３５ａを通って、圧接刃６２とは反対側より外部に引き出されている。
【００２８】
次に、終端用分岐コネクタ５Ｃの組付け手順を説明する。ツイストペア線を構成する２本の第１電線Ｗ１の一方の端部付近（幹線の端部付近）を、第１ハウジング部１０のツイスト溝１２に挿入する。ツイスト溝１２への挿入は、２本の第１電線Ｗ１の間の３箇所にリブ１３ａ，１３ｂを割り込ませるようにして挿入することで容易に出来る。図６に示すように、ツイスト溝１２に挿入された２本の第１電線Ｗ１は、互いの間隔を広げたツイスト形状に配策される。
【００２９】
次に、図７に示すように、第１ハウジング部１０に第２ハウジング部２０の合体用ハウジング部２１を合体させる。つまり、第１ハウジング部１０に第２ハウジング部２０の合体用ハウジング部２１を被せ、第１ハウジング部１０の係止爪１５に合体用ハウジング部２１の弾性係止枠３０を係止する。これにより、第１ハウジング部１０のツイスト溝１２に合体用ハウジング部２１の突壁２４が入り込み、各第１電線Ｗ１がツイスト溝１２内に位置決めされる。
【００３０】
又、中央のリブ１３ａの先端側は、合体用ハウジング部２１の位置決め凹部２４ａに入り込む。両端の一対のリブ１３ｂは、合体用ハウジング部２１の一対の位置決め凹部２４ａに入り込む。これにより、第１ハウジング部１０と合体用ハウジング部２１、ひいては第２ハウジング部２０が位置決め状態で合体される。
【００３１】
第１ハウジング部１０と第２ハウジング部２０の合体用ハウジング部２１との合体作業前、若しくは、合体作業後に、アース線Ｗ３に終端用圧接端子６０を接続する作業と、第２ハウジング部２０の端子固定用ハウジング部３１Ｃに終端用圧接端子６０を組み付ける作業を行う。
【００３２】
アース線Ｗ３への終端用圧接端子６０の接続作業は、アース線Ｗ３の端末部を終端用圧接端子６０の圧接刃６１に圧接接続すれば完了する。
【００３３】
終端用圧接端子６０の端子固定用ハウジング部３１Ｃへの組付け作業は、終端用圧接端子６０の圧入孔６５に分割コネクタハウジング部３２Ａの各ボス部３２ｇを圧入する（図３（ａ）、図９参照）。これで、終端用圧接端子６０が分割コネクタハウジング部３２Ａに固定される。次に、図４（ｂ）に示すように、アース線Ｗ３を電線引出通路３５ａに配置しつつ分割コネクタハウジング部３２Ａ，３２Ｂを合体させれば完了する。
【００３４】
次に、図８及び図９に示すように、端子固定用ハウジング部３１Ｃを合体用ハウジング部２１のコネクタ嵌合部２９に嵌合する。つまり、端子固定用ハウジング部３１Ｃを合体用ハウジング部２１のコネクタ嵌合部２９内に挿入し、端子固定用ハウジング部３１Ｃの係止爪３９ａにコネクタ嵌合部２９の弾性係止枠３０を係止する。この嵌合過程で、終端用圧接端子６０の一対の圧接刃６２が圧接刃ガイド溝１４にガイドされつつツイスト溝１２に進入する。嵌合完了状態では、終端用圧接端子６０の各圧接刃６２が各第１電線Ｗ１に圧接接続される。
【００３５】
ツイストペア線を構成する２本の第１電線Ｗ１の他方の端部（幹線ｗ１の端部）にも同様にして終端用分岐コネクタ５Ｃを装着する。
【００３６】
以上説明したように、終端用分岐コネクタ５Ｃは、ツイストペア線を構成する２本の第１電線Ｗ１が互いの間隔を広げたツイスト形状に配策される配策経路部１１を有する第１ハウジング部１０と、アース線Ｗ３に接続された終端抵抗６３付きの終端用圧接端子６０が固定され、第１ハウジング部１０に組付けされた状態では、終端用圧接端子６０が２本の第１電線Ｗ１に圧接接続する第２ハウジング部２０とを備えている。
【００３７】
従って、２本の第１電線Ｗ１の間の間隔を広げるが、ツイスト形状を維持して配策されるため、通信品質を維持しつつ終端抵抗６３を取付けることができる。また、第２ハウジング部２０を第１ハウジング部１０に装着すれば終端抵抗６３を取付けることができるため、終端抵抗６３の取付け作業性が良い。
【００３８】
配策経路部１１は、２本の第１電線Ｗ１の間に割り込むリブ１３ａ，１３ｂを有する。従って、２本の第１電線Ｗ１の間の間隔を容易に広げることができる。
【００３９】
第２ハウジング部２０の合体用ハウジング部２１は、第１ハウジング部１０に組付けされた状態で、ツイスト溝１２に入り込む突壁２４を有する。従って、ツイスト溝１２に第１電線Ｗ１を確実に位置決めでき、通信品質を維持に寄与する。特に、この実施形態では、突壁２４は、ツイスト溝１２の形状に倣う形状（２本の第１電線Ｗ１が互いの間隔を広げたツイスト形状に倣う形状）であるため、ツイスト溝１２の全範囲に亘って確実な位置決めができる。
【００４０】
第２ハウジング部２０は、第１ハウジング部１０に組付けされ、コネクタ嵌合部２９を有する合体用ハウジング部２１と、一対の圧接端子５０が固定され、コネクタ嵌合部２９に嵌合される端子固定用ハウジング部３１Ｃとを備えている。
【００４１】
従って、終端用分岐コネクタ５Ｃが雄雌のコネクタ接続と同様な作業によって終端抵抗６３の取付け作業を行うことができる。幹線ｗ１に第１ハウジング部１０と合体用ハウジング部２１を組み付ける作業（幹線ｗ１側作業）と、枝線ｗ２に接続された端子固定用ハウジング部３１を合体用ハウジング部２１に嵌合する嵌合作業（幹線ｗ１に枝線ｗ２を接続する作業）とを別々に行うことができるため、作業自由度が向上する。
【００４２】
ツイストペア線を構成する２本の第１電線Ｗ１は、３箇所でリブ１３ａ，１３ｂが第１電線Ｗ１間に介在され、且つ、その中央のリブ１３ａの位置で圧接刃５２が圧接接続されている。従って、２本の第１電線Ｗ１の引っ張り力が分岐コネクタ５Ａに作用しても圧接刃５２による圧接接続箇所に第１電線Ｗ１の引っ張り力が直接に作用しないため、圧接接続の信頼性が高い。
【００４３】
通信ネットワーク１は、ツイストペア線を構成する２本の第１電線Ｗ１と、ツイストペア線を構成する２本の第２電線Ｗ２と、２本の第１電線Ｗ１と２本の第２電線Ｗ２の間を接続する、上記した構成の終端用分岐コネクタ５Ｃとを備えている。従って、終端用分岐コネクタ５Ｃ内では、２本の第１電線Ｗ１の間の間隔を広げられるが、終端用分岐コネクタ５Ｃ内でもツイスト形状を維持して配策される。以上より、通信品質を維持しつつツイストペア線を分岐した通信ネットワーク１が得られる。
【００４４】
（第２実施形態）
図１１〜図１３は本発明の第２実施形態を示す。通信ネットワーク１は、前記第１実施形態と同様の構成である（図１０参照）。この通信ネットワーク１において、ツイストペア線の分岐に終端用分岐コネクタ（分岐接続構造）５Ｄが使用されている。
【００４５】
第２実施形態の終端用分岐コネクタ５Ｄは、前記第１実施形態のものと比較するに、第２ハウジング部２０が単一のハウジングより形成されている点が相違する。
【００４６】
つまり、第２ハウジング部２０は、第１ハウジング部１０に組付けされる合体用ハウジング部２１と、一対の圧接端子５０が固定される端子固定用ハウジング部３１Ｃとが一体に形成されている。このように一体に形成されているため、合体用ハウジング部２１と端子固定用ハウジング部３１Ｃ間をロックするための係止爪と弾性係止枠が設けられていない。
【００４７】
他の構成は、前記第１実施形態と同様であるため、同一構成箇所に同一符号を付して説明を省略する。
【００４８】
次に、終端用分岐コネクタ５Ｄの組付け手順を説明する。ツイストペア線を構成する２本の第１電線Ｗ１の一方の端部（幹線の端部）を、第１実施形態で説明したように、第１ハウジング部１０のツイスト溝１２に挿入する。
【００４９】
次に、前記第１実施形態で説明した要領で、アース線Ｗ３に終端用圧接端子６０を接続する作業と、第２ハウジング部２０の端子固定用ハウジング部３１Ｃに終端用圧接端子６０を組み付ける作業を行う。
【００５０】
次に、前記第１実施形態で説明した要領で、第１ハウジング部１０に第２ハウジング部２０の合体用ハウジング部２１を合体させる。これにより、第１ハウジング部１０のツイスト溝１２に合体用ハウジング部２１の突壁２４が入り込み、各第１電線Ｗ１がツイスト溝１２内に位置決めされる。
【００５１】
この合体過程で、終端用圧接端子６０の各圧接刃６２が圧接刃ガイド溝１４にガイドされつつ各ツイスト溝１２に進入する。嵌合完了状態では、終端用圧接端子６０の各圧接刃６２が各第１電線Ｗ１に圧接接続される。
【００５２】
この第２実施形態の終端用分岐コネクタ５Ｄでも、前記第１実施形態と同様の理由によって、終端用分岐コネクタ５Ｄ内では、２本の第１電線Ｗ１の間の間隔を広げられるが、ツイスト形状を維持して配策されるため、通信品質を維持しつつ終端抵抗６３を取り付けできる等の効果がある。
【００５３】
第２ハウジング部２０は、第１ハウジング部１０に組付けされる合体用ハウジング部２１と、終端用圧接端子６０が固定される端子固定用ハウジング部３１Ｃとが一体に形成されているため、合体用ハウジング部２１と端子固定用ハウジング部３１Ｃとの嵌合作業を行う必要がないため、第１実施形態に比較して、終端用分岐コネクタ５Ｄの組付け作業性が良い。又、第２実施形態の終端用分岐コネクタ５Ｄは、第１実施形態と比較して、部品点数の削減、軽量化等になる。
【００５４】
通信ネットワーク１は、２本の第１電線Ｗ１とアース線Ｗ３の間を接続する、上記した構成の終端用分岐コネクタ５Ｄとを備えている。従って、第１実施形態と同様の理由によって、通信品質を維持しつつツイストペア線を分岐した通信ネットワーク１が得られる。
【００５５】
（第１実施形態の第１変形例）
図１４は、第１実施形態の第１変形例を示す。この第１変形例の終端用分岐コネクタ５Ｃは、前記第１実施形態と比較するに、端子固定用ハウジング部３１Ａの構成が相違する。つまり、第１変形例の端子固定用ハウジング部３１Ａは、コネクタ嵌合部２９の嵌合方向に直交する向きに第２電線Ｗ２を引き出すように構成されている。この第１変形例では、アース線Ｗ３の配策経路が第１電線Ｗ１の平行方向である場合に、アース線Ｗ３を所望の配策方向にスムーズに引き出すことができる。
【００５６】
他の構成は、前記第１実施形態と同じである。第１実施形態と同一構成箇所には、図面に同一符号を付して説明を省略する。
【００５７】
この第１変形例は、前記第２実施形態の終端用分岐コネクタ５Ｂにも適用できる。
【００５８】
（第１実施形態の第２変形例）
図１５は、第１実施形態の第２変形例を示す。この第２変形例の終端用分岐コネクタ５Ｃは、前記第１実施形態と比較するに、合体用ハウジング部２１に締結バンド４３が設けられている。締結バンド４３によって終端用分岐コネクタ５Ｃをワイヤーハーネスの電線（幹線）Ｗに固定できる。終端用分岐コネクタ５Ｃを電線（幹線）Ｗ以外の部材に固定することもできる。
【００５９】
他の構成は、前記第１実施形態と同じである。第１実施形態と同一構成箇所には、図面に同一符号を付して説明を省略する。
【００６０】
この第２変形例は、前記第２実施形態の終端用分岐コネクタ５Ｂにも適用できる。
【００６１】
（その他の変形例）
各実施形態では、終端用圧接端子６０には、終端抵抗６３が一体に付けられているが、別体に付けられていても良い。
【００６２】
各実施形態では、終端抵抗６３はチップ抵抗であるが、図１６に示すように、終端用圧接端子６０の一部を細くすることによって終端抵抗６３を形成しても良い。つまり、終端用圧接端子６０の一部を用いて形成しても良い。
【００６３】
各実施形態では、ツイストペア線を構成する２本の第１電線Ｗ１は、３箇所にリブ１３ａ，１３ｂが介在される構成であるが、リブ個数は１つでも、２つでも、４つ以上でも良い。
【００６４】
各実施形態では、配策経路部１１は、ツイスト溝１２とリブ１３ａ，１３ｂによって形成されているが、２本の第１電線Ｗ１を互いの間隔を広げたツイスト形状に配策できる構成であれば良い。例えば、配策経路部１１は、ツイスト溝１２のみの構成でも良く、又、リブ１３ａのみの構成でも良い。
【００６５】
各実施形態では、配策経路部１１は、ツイスト溝１２を有するが、第１ハウジング部１０に２本の第１電線Ｗ１が互いに間隔を広げたツイスト形状に倣った一対の側壁を立設して形成しても良い。一対の側壁は連続した側壁ではなく間欠的な側壁でも良い。
【００６６】
各実施形態では、突壁２４は、ツイスト溝１２の形状に倣う形状（２本の第１電線Ｗ１が互いの間隔を広げたツイスト形状に倣う形状）であるが、ツイスト溝１２に間欠的に挿入される複数の突壁としても良い。
【符号の説明】
【００６７】
１  通信ネットワーク
Ｗ１  第１電線
Ｗ２  第２電線
５Ｃ，５Ｄ  終端用分岐コネクタ
１０  第１ハウジング部
１１  配策経路部
１２  ツイスト溝
１３ａ，１３ｂ  リブ
２０  第２ハウジング部
２１  合体用ハウジング部
２４  突壁
２９  コネクタ嵌合部
３１Ｃ，３１Ａ  端子固定用ハウジング部
６０  終端用圧接端子
６２  圧接刃
６３  終端抵抗
【図１】
2019079715.tif 000003
【図２】
2019079715.tif 000004
【図３】
2019079715.tif 000005
【図４】
2019079715.tif 000006
【図５】
2019079715.tif 000007
【図６】
2019079715.tif 000008
【図７】
2019079715.tif 000009
【図８】
2019079715.tif 000010
【図９】
2019079715.tif 000011
【図１０】
2019079715.tif 000012
【図１１】
2019079715.tif 000013
【図１２】
2019079715.tif 000014
【図１３】
2019079715.tif 000015
【図１４】
2019079715.tif 000016
【図１５】
2019079715.tif 000017
【図１６】
2019079715.tif 000018